(57)【特許請求の範囲】
【請求項１】
底板と該底板の外周を囲繞する周壁を有する本体トレーを備えた上面開放型の猫用トイレであって、
前記周壁の内周面に重なる略筒状のカバー部材を着脱可能に備え、
該カバー部材が、下端の全周に形成され内周方向にせり出し前記底板の上方に位置する枠状のかえし部と、該かえし部より上方で前記周壁と重なった状態で上方にのびる延長壁部を有し、
前記周壁と前記延長壁部の重なり合う部分の一部に猫が出入りするための出入り用凹部が形成された
猫用トイレ。
【請求項２】
前記カバー部材の上端に、前記本体トレーの前記周壁の上端にのる上端縁部が形成された
請求項１に記載の猫用トイレ。
【請求項３】
前記かえし部の背面と、前記本体トレーにおける前記かえし部の背面に対向する部位に、互いに着脱可能に係合して前記カバー部材を前記本体トレーに固定する係合構造が形成された
請求項１または請求項２に記載の猫用トイレ。
【請求項４】
前記かえし部が内周方向に張りだす段差部を介して形成され、
該段差部は前記本体トレーの下端がのる大きさである
請求項１から請求項３のうちいずれか一項に記載の猫用トイレ。
【発明の詳細な説明】
【技術分野】
【０００１】
この発明は、粒状の敷材を敷いて使用される猫用トイレに関し、より詳しくは、敷材がトイレ外に飛び散るのを防止できるような猫用トイレに関する。
【背景技術】
【０００２】
上面が開放された有底箱状の猫用トイレは、猫が排泄後に敷材を掻くので、敷材がトイレ外に飛び出すのを防止するため、下記特許文献１に開示されているように、周壁の上端縁に飛散防止ガードが形成されていた。飛散防止ガードは、周壁と同様に、飛び出そうとする敷材を受け止めて周壁の内周側に落とす機能を果たす。
【０００３】
しかしながら、敷材がトイレ外に飛び出すことを完全に防止することはできなかった。これは、猫が敷材を掻く角度や勢いによっては、飛散防止ガードだけでは敷材を受け止めきれない場合があるからである。
【０００４】
下記特許文献２には、猫用トイレを、猫用トイレと同様に有底箱状で猫用トイレよりも大きい砂飛散防止器の中に入れて使用することも開示されている。このような砂飛散防止器を使用すれば、室内に砂が散らばることを防止できるだろうが、大きな空間が必要であり非現実的である。
【０００５】
また、下記特許文献３のように、上方を覆うフードを備えたトイレも提案されている。このような構造のトイレでも敷材が室内に飛び散ることを防止できであろうが、部品点数が多くなるうえに、掃除等の取り扱いが不便である。
【先行技術文献】
【特許文献】
【０００６】
【特許文献１】実公平７−２９８１９号公報
【特許文献２】特開平１１−３１８２５７号公報
【特許文献３】特許第５３６２９６６号公報
【発明の概要】
【発明が解決しようとする課題】
【０００７】
そこでこの発明は、上面開放型の猫用トイレにおいて簡素な構成で大型化を回避しつつ、敷材の飛散をより確実に防止できるようにすることを主な目的とする。
【課題を解決するための手段】
【０００８】
そのための手段は、底板と該底板の外周を囲繞する周壁を有する本体トレーを備えた上面開放型の猫用トイレであって、前記周壁の内周面に重なる略筒状のカバー部材を着脱可能に備え、該カバー部材が、下端の全周に形成され内周方向にせり出し前記底板の上方に位置する枠状のかえし部と、該かえし部より上方で前記周壁と重なった状態で上方にのびる延長壁部を有する猫用トイレである。
【０００９】
この構成の猫用トイレでは、敷材は本体トレーの底板上に敷設される。敷材の敷設高さは、カバー部材のかえし部より低い位置に設定される。使用中、猫が敷材を掻いても、飛び散る敷材のうち本体トレーの周壁に近い部位から飛ぶものは、かえし部に受け止められて、周壁よりも内側に落ちる。飛び散る敷材が本体トレーの中央付近から飛ぶものであり、勢いもあるものである場合には、かえし部では受け止められず、延長壁部が受け止める。延長壁部に当たった敷材は、延長壁部より内側に落下する。周壁の内周面に重なるカバー部材は、周壁と広く面接触し、ガタつきしにくく外れにくい。また略筒状で延長壁部を有するカバー部材は、一つの部材としては比較的大きく重量もあり、取扱いやすい。
【発明の効果】
【００１０】
この発明によれば、本体トレーにカバー部材を内嵌合させる簡素な構成で、大型化を回避しつつ、敷材がトイレ外に飛散することをより確実に防止できる。
【図面の簡単な説明】
【００１１】
【図１】猫用トイレの縦断面図。
【図２】猫用トイレの斜視図。
【図３】猫用トイレの分解斜視図。
【図４】猫用トイレの正面図。
【図５】猫用トイレの右側面図。
【図６】猫用トイレの底面図。
【図７】係合構造の断面図。
【図８】猫用トイレを積み重ねた状態の縦断面図。
【図９】猫用トイレの背面図。
【図１０】猫用トイレの平面図。
【発明を実施するための形態】
【００１２】
この発明を実施するための一形態を、以下図面を用いて説明する。
【００１３】
図１は、たとえば子猫から体重５ｋｇまでの成猫に適した猫用トイレ１１の縦断面図で、図２はその斜視図である。この猫用トイレ１１は、本体トレー３１と、この本体トレー３１の上部に着脱可能に内嵌合するカバー部材５１で構成されており、上面開放型である。換言すれば、覆いのない有底箱状であり、内部の空間は従来のものより深く形成されている。このため周囲の壁に、猫が出入りするために高さを低くした出入り用凹部１２が一部に形成されている。
【００１４】
本体トレー３１は、図２、図３に示したように、平面視形状が略角丸長方形の底板３２と、この底板３２の外周全体を囲繞し上方ほど若干外周側に反り返る形状の周壁３３を有する。底板３２は正面図である図４、側面図である図５にも示したように、周壁３３の下端位置よりも若干上に形成され、底板３２は、底面図である図６に示したように下面の略中央に周壁３３の下端位置と面一になる平面視円形の足部３４を有している。
【００１５】
周壁３３の２つの長辺側の面のうちの一方を正面とし、この正面に、図３、図４、図５に示したように、前述の出入り用凹部１２を形成するための湾曲凹部３５が形成されている。湾曲凹部３５は中間部ほど外周側にせり出しながら円弧状に大きく湾曲している。湾曲凹部３５は正面の全幅にわたって形成され、中間部がもっと低い。
【００１６】
湾曲凹部３５の高さは猫がまたぐ高さである。具体的には、湾曲凹部３５のうち最も低い中間部の高さがおよそ１２０ｍｍ前後となるようにするとよい。湾曲凹部３５以外の部位の高さは、底板の大きさも考慮して決められるが、たとえば湾曲凹部３５の最も低い部位の高さの１．４倍から２．２倍程度の高さとするとよい。具体的には、たとえば底板３２の大きさを例えば４００ｍｍ×３００ｍｍ程度とし、湾曲凹部３５の最も低い部分の高さを１２０ｍｍ程度した場合、湾曲凹部３５以外の部位の高さは、２００ｍｍ程度とするのが好ましい。
【００１７】
周壁３３の上端には外周側に突出する玉縁状の縁部３６が全周にわたって形成されている。周壁３３における湾曲凹部３５を備えた長辺側の面に隣接する２つの短辺側の面の上端部の中間位置には、図３、図５に示したように凹状に湾曲する把持用凹部３７が形成される。把持用凹部３７における前述の縁部３６ａは、図１、図４に示したように下方に凹む中間部ほど把持用凹部３７以外の縁部３６ｂよりも外周方向に長く形成されている。把持用凹部３７の縁部３６ａの長さは指先を引っ掛けられる長さである。
【００１８】
また周壁３３は、図３に示したように、内面における把持用凹部３７より下方で上下方向の略中間部に係合凸部３８を有している。つまり係合凸部３８は、周壁３３の短辺側の相対向する二面の幅方向の中間位置に形成され、内周方向に水平に適宜長さ突出する突片３８ａと、この突片３８ａの両端を上から支えるリブ３８ｂを有し、図７に示したようにリブ３８ｂは上方ほど薄く形成されて端面に傾斜面３８ｃを有している。
【００１９】
カバー部材５１は、図３、図４、図５に示したように本体トレー３１の周壁３３における上下方向の略中間部から上の領域に重なる略筒状である。カバー部材５１は、下端の全周に形成されて内周方向にせり出すとともに、本体トレー３１の底板３２の上方に位置する枠状のかえし部５２と、このかえし部５２より上方で周壁３３と重なった状態で上にのびる延長壁部５３を有している。かえし部５２が形成されるカバー部材５１の下端位置は、正面の湾曲凹部よりも下であって、敷材７１（図１参照）を敷いて使用する使用態様を考慮して、本体トレー３１の底板３２から適宜の高さ上方に位置するように設定される。延長壁部５３は、周壁３３における対応部位に内嵌合する略相似形に形成されている。
【００２０】
かえし部５２は、図７に示したように、延長壁部３５の下端から内周方向に張りだす段差部５４を介して形成されている。段差部５４は水平に適宜幅張り出すもので、全周に形成されている。段差部５４の張り出し量は、図８に一部を拡大して示したように、本体トレー３１の下端、つまり周壁３３の下端がのる大きさである。
【００２１】
この段差部５４の内周の端からかえし部５２が形成される。かえし部５２は、縦断面角丸Ｌ字状をなす絞り部５２ａと、この絞り部５２ａの下端から下に延びる垂下部５２ｂを有する。絞り部５２ａから垂下部５２ｂへは湾曲面５２ｃで接続されている。
【００２２】
絞り部５２ａの上部の背面に、段差部５４との間に係合凸部３８と係合する係合凹部５５を形成するための突部５６が形成されている。この突部５６は、外周方向に適宜長さ突出する突条５６ａと、この突条５６ａを下から支えるリブ５６ｂで構成されている。
【００２３】
前述の係合凹部５５と係合凸部３８は、かえし部５２の背面とこれに対向する部位に形成され、互いに着脱可能に係合してカバー部材５１を本体トレー３１に固定する係合構造である。
【００２４】
延長壁部５３は前述のように周壁３３の対応部位に嵌合対応する形状であり、周壁３３の湾曲凹部３５に対応する部位には同様の湾曲凹部５７が形成されているが、把持用凹部３７に対応する部位は略水平に形成されている。
【００２５】
延長壁部５３の上端、つまりカバー部材５１の上端に、本体トレー３１の周壁３３の上端の縁部３６にのる上端縁部５８が形成されている。図４、図５、図９に示したように、上端縁部５８は把持用凹部３７以外の部分において周壁３３の縁部３６と重なっている。上端縁部５８のうち湾曲凹部５７の部分は、図５に示したように本体トレー３１の湾曲凹部３５よりも前方に突出させて突片５８ａとしている。
【００２６】
このような構成の猫用トイレ１１は、平面視では図１０に示したように、深さ方向の中間部に枠状のかえし部５２を有し、それより上方に延長壁部５３が外周方向に広がりながらのびる構造となる。
【００２７】
使用に際しては、図１に示したように本体トレー３１の底に粒状の敷材７１を敷く。敷材７１を敷く厚さは適宜設定されるが、底板３２からカバー部材５１のかえし部５２の下端までの高さの半分くらいまでがよい。
【００２８】
猫は敷材７１の上で排泄をしたあと、敷材７１を掻いて排泄箇所を隠そうとする。このときに敷材７１が飛ばされるが、猫用トイレ１１内の外周部位、つまり周壁３３に近い部位から飛ぶ敷材７１はかえし部５２に当たって猫用トイレ１１外に飛び出すことが防止される。猫用トイレ１１内の中央付近から飛ばされたうえに飛ぶ勢いも強い敷材７１は、延長壁部５３に当たって猫用トイレ１１内に戻る。かえし部５２は、断面角丸Ｌ字状に形成されているうえ垂下片５２ｂとの間には湾曲面５２ｃが形成されているので、かえし部５２に落ちた敷材７１はかえし部５２よりも下に自然に落下する。このように敷材７１の飛散は二重にブロックされる。しかも、本体トレー３１とカバー部材５１の大きさは前述のように設定されており、延長壁部５３の高さがかえし部５２の高さの倍以上であるので、不必要に大型化することもなく敷材の飛散防止を確実に行える。
【００２９】
延長壁部５３の高さは高いものの、猫用トイレ１１は出入り用凹部１２を有するので、猫の自由な出入りは可能である。このため、容易に使用を促せる。
【００３０】
清掃等の取り扱いに際しては、カバー部材５１が略筒状であり、本体トレー３１に内嵌合する大きさであるので、比較的重量があり大きいため、着脱操作などの取扱いが容易である。着脱操作は、カバー部材５１の上端縁部５８が本体トレー３１から離れた部分、つまりカバー部材５１における把持用凹部２７に対応する部分と突片５８に力を加えてカバー部材５１を少し変形させれば、係合構造の分離ができる。
【００３１】
猫用トイレ１１は２部材で構成されているので、分離後の手入れ等も簡単であり、各パーツも比較的大きいので組み立ても容易である。
【００３２】
猫用トイレ１１の持運びに際しては、把持用凹部３７の下の縁部３６ａを持っても、カバー部材５１における把持用凹部３７に対応する部位を持ってもよい。係合構造があるので不測のはずれを防止でき、カバー部材５１を持った場合でも持ち運びできる。このように移動等の扱いも容易である。
【００３３】
またカバー部材５１は本体トレー３１に内嵌合するので、接触面積が広く、ガタつきにくい。このため、使用時にはあたかも一体の状態となり、猫の動きでガタついたり部材が不測に分離したりすることもなく、所望の使用状態を得られる。そのうえ、カバー部材５１の上端縁部５８が本体トレー３１の周壁の上端の縁部３６にのるので、外観上はあたかも一体に見えるとともに、本体トレー３１とカバー部材５１との間に上から異物が侵入することを防げる。
【００３４】
さらに、商品の管理や、複数の猫用トイレ１１を所有し保管する場合には、カバー部材５１に本体トレー３１がのる段差部５４を備えたので、図８に示したように猫用トイレ１１を積み重ねておくことができる。このため、場所を取らずに保管でき、輸送コストも低減できる。
【００３５】
しかも積み重ね状態は、本体トレー３１の底（下端）の外周を周壁３３の下端で構成して角が立った形態としたので、段差部５４の内周方向へのせり出しを極力狭くしても確固とした積み重ね状態が得られる。
【００３６】
また段差部５４を幅狭にできるので、内周側にせり出してもスペースの狭小化を招くことを回避できる。しかも周壁３３が上方ほど外周方向にそる形状であり、上方から見たときに広く感じる構造であるとことと相まって、猫が入りやすく、入った後でも体を動かしやすい状態にすることができ、良好な排泄環境を得られる。
【００３７】
加えて、前述のようにカバー部材５１の本体トレー３１に対する接触面積が広くカバー部材５１の重量も比較的あるので、猫が動いても不要なガタつきかないようにすることができる。この点からも良好な配設環境とすることができる。
【００３８】
この発明の構成と、前述の構成との対応において、  
この発明の係合構造は前述の係合凸部３８及び係合凹部５５に対応するも、  
この発明は前述の構成のみに限定されるものではなく、その他の構成を採用することもできる。
【符号の説明】
【００３９】
１１…猫用トイレ
１２…出入り用凹部
３１…本体トレー
３２…底板
３３…周壁
３８…係合凸部
５１…カバー部材
５２…かえし部
５３…延長壁部
５４…段差部
５５…係合凹部
５８…上端縁部
【図１】
0006560084.tif 000002
【図２】
0006560084.tif 000003
【図３】
0006560084.tif 000004
【図４】
0006560084.tif 000005
【図５】
0006560084.tif 000006
【図６】
0006560084.tif 000007
【図７】
0006560084.tif 000008
【図８】
0006560084.tif 000009
【図９】
0006560084.tif 000010
【図１０】
0006560084.tif 000011